(57)【特許請求の範囲】
【請求項１】
患者の身体に照射される光を出射するように構成された発光部と、
前記患者の身体を透過あるいは反射した光の強度に対応する信号を出力するように構成された受光部と、
前記信号の振幅を解析して前記患者の脈動率を取得するように構成された脈動率取得部と、
前記脈動率に基づいて前記患者の脈の有無を判定するとともに、所定時間内における前記信号の変曲点数に基づいて当該脈動率に基づく判定結果を再判定するように構成された脈判定部と、
前記脈判定部による判定結果を報知するように構成された報知部と、
を備えている、
救命支援装置。
【請求項２】
前記脈判定部は、前記脈動率に基づいて脈なしと判定された場合、前記変曲点数が第一閾値未満であるかに基づいて再判定を行ない、前記脈動率に基づいて脈ありと判定された場合、前記変曲点数が当該第一閾値よりも大きい第二閾値未満であるかに基づいて再判定を行なう、
請求項１に記載の救命支援装置。
【請求項３】
前記発光部は、前記光として赤外光を出射するように構成されており、
前記脈動率取得部は、前記赤外光に基づいて前記脈動率と前記変曲点数を取得するように構成されている、
請求項１または２に記載の救命支援装置。
【請求項４】
患者の身体に照射される光を出射するように構成された発光部と、
前記患者の身体を透過あるいは反射した光の強度に対応する信号を出力するように構成された受光部と、
前記信号の振幅を解析して前記患者の脈動率を取得するように構成された脈動率取得部と、
前記脈動率に基づいて前記患者の脈の有無を判定するように構成された脈判定部と、
前記脈判定部による判定結果を報知するように構成された報知部と、
を備えており、
前記発光部は、前記光として赤色光と赤外光を出射するように構成されており、
前記脈判定部が脈ありと判定したとき、前記信号より取得される動脈血酸素飽和度と心拍数の少なくとも一方に基づいて、前記患者の脈の有無を再判定するように構成された脈再判定部を備えている、
救命支援装置。
【請求項５】
前記発光部と前記受光部は、前記患者の額に装着可能に構成されている、
請求項１から４のいずれか一項に記載の救命支援装置。
【請求項６】
前記報知部は、前記脈判定部が脈なしと判定したとき、除細動器の使用を促す情報を提供するように構成されている、
請求項１から５のいずれか一項に記載の救命支援装置。
【請求項７】
前記報知部は、前記脈判定部が脈なしと判定したとき、胸骨圧迫の実施を促す情報を提供するように構成されている、
請求項１から６のいずれか一項に記載の救命支援装置。
【請求項８】
前記脈判定部は、脈ありと判定した後も前記脈の有無の判定を継続するように構成されている、
請求項１から７のいずれか一項に記載の救命支援装置。
【請求項９】
前記報知部は、前記脈判定部により継続される前記脈の有無の判定の結果を報知するように構成されている、
請求項８に記載の救命支援装置。
【請求項１０】
前記脈判定部は、脈なしと判定した後も前記脈の有無の判定を継続するように構成されており、
前記報知部は、前記脈判定部が一旦脈なしと判定した後に脈ありと判定した場合、胸骨圧迫の実施の中止を促す情報を提供するように構成されている、
請求項１から９のいずれか一項に記載の救命支援装置。
【発明の詳細な説明】
【技術分野】
【０００１】
本発明は、救命行為の要否を判定するための救命支援装置に関する。
【０００２】
救命行為の一例として、自動体外式除細動器（Automatic External Defibrillator；ＡＥＤ）の使用が挙げられる。ＡＥＤは、心室細動や脈のない心室頻拍といった致死性不整脈が検出された患者に対して電気ショックを実施することにより、当該患者を蘇生させるための装置である。具体的には、患者の意識および呼吸がない場合に、裸にした当該患者の胸部にＡＥＤの電極パッドを貼り付ける。ＡＥＤは、当該電極パッドを通じて取得された心電図を解析し、致死性不整脈を検出する（例えば、特許文献１を参照）。
【先行技術文献】
【特許文献】
【０００３】
【特許文献１】特開２０１２−０６１３６１号公報
【発明の概要】
【発明が解決しようとする課題】
【０００４】
医療従事者でない一般市民が倒れている患者を目の前にしたとき、ＡＥＤを運んでくることはできても、使用に踏み切ることを躊躇しがちである。特に死戦期にある患者は、心肺停止状態にありながら喘ぎ呼吸という独特の呼吸をするため、正しく意識および呼吸がない状態であると判断することが難しい。結果として電気ショックの適用が遅れることがあり、救命率低下の一因となっている。
【０００５】
また意識のない患者には、脳障害、低血糖、出血性ショック、溺水、一酸化炭素中毒などを原因とする者が含まれている。このような患者に対してはＡＥＤの使用は必要ないものの、その正確な判断は一般市民にとって困難である。したがって公衆の面前で不必要に胸部を裸にされるなど、患者のプライバシー保護が十分でなくなる場合がある。また胸部を裸にするという処置の必要性が、ＡＥＤの使用を躊躇させる一因ともなっている。
【０００６】
本発明は、患者のプライバシーに配慮しつつ、救命行為の要否に係る適切な情報を提供して救助者を支援することを目的とする。
【課題を解決するための手段】
【０００７】
上記の目的を達成するために、本発明がとりうる一態様は、救命支援装置であって、
患者の身体に照射される光を出射するように構成された発光部と、
前記患者の身体を透過あるいは反射した光の強度に対応する信号を出力するように構成された受光部と、
前記信号の振幅を解析して前記患者の脈動率を取得するように構成された脈動率取得部と、
前記脈動率に基づいて前記患者の脈の有無を判定するように構成された脈判定部と、
前記脈判定部による判定結果を報知するように構成された報知部と、
を備えている。
【０００８】
専門家であっても脈の有無を正確かつ迅速に判断することは難しい。特に死戦期状態の患者は、心肺停止状態にありながら喘ぎ呼吸という独特の呼吸をするため、呼吸の事実をもって脈ありと判断してしまう場合があるからである。上記のような構成によれば、患者の脈動率という客観的なパラメータを用いるため、救命支援装置を取り扱う者に依らず、患者の脈の有無を正確に判定できる。また、脈判定部による脈の有無の判定は、数周期から十周期分程度の脈波信号が取得できれば可能である。したがって、救命支援装置を取り扱う者に依らず、患者の脈の有無を迅速に判定できる。
【０００９】
患者の脈の有無に係る正確な判定結果が救助者に報知されるため、例えばＡＥＤの使用が不要である場合は、患者の衣服を不必要に脱がすことが避けられる。これにより、患者のプライバシーを守ることができる。したがって、患者のプライバシーに配慮しつつ、救命行為の要否に係る適切な情報を提供して救助者を支援できる。
【００１０】
上記の救命支援装置は、以下のように構成されうる。
前記脈判定部は、前記脈動率に加え、所定時間内における前記信号の変曲点数に基づいて前記脈の有無を判定するように構成されている。
【００１１】
このような構成によれば、変曲点数を判定基準に加えることにより、脈の有無の判定精度が向上する。したがって、患者のプライバシーに配慮しつつ、救命行為の要否に係るより適切な情報を提供して救助者を支援できる。
【００１２】
上記の救命支援装置は、以下のように構成されうる。
前記発光部は、前記光として赤外光を出射するように構成されており、
前記脈動率取得部は、前記赤外光に基づいて前記脈動率を取得するように構成されている。
【００１３】
このような構成によれば、救命医療において一般的に用いられているパルスオキシメータのプローブに用いられている光源を利用できる。別途の光源を用意する必要がないため、救命支援装置を提供するコストを全体として抑制できる。また、赤外光は、患者の身体を透過あるいは反射する際に皮膚の色の影響を受けにくい。これにより、取得される脈動率の正確性が向上し、後段の脈判定部による脈の有無の判定精度も向上する。したがって、患者のプライバシーに配慮しつつ、救命行為の要否に係るより適切な情報を提供して救助者を支援できる。
【００１４】
上記の救命支援装置は、以下のように構成されうる。
前記発光部は、前記光として赤外光を出射するように構成されており、
前記脈判定部は、前記赤外光に基づいて前記変曲点数を取得するように構成されている。
【００１５】
このような構成によれば、救命医療において一般的に用いられているパルスオキシメータのプローブに用いられている光源を利用できる。別途の光源を用意する必要がないため、救命支援装置を提供するコストを全体として抑制できる。また、赤外光は、患者の身体を透過あるいは反射する際に皮膚の色の影響を受けにくい。これにより、取得される変曲点数の正確性が向上し、後段の脈判定部による脈の有無の判定精度も向上する。したがって、患者のプライバシーに配慮しつつ、救命行為の要否に係るより適切な情報を提供して救助者を支援できる。
【００１６】
上記の救命支援装置は、以下のように構成されうる。
前記発光部は、前記光として赤色光と赤外光を出射するように構成されており、
前記脈判定部が脈ありと判定したとき、前記信号より取得される動脈血酸素飽和度と心拍数の少なくとも一方に基づいて、前記患者の脈の有無を再判定するように構成された脈再判定部を備えている。
【００１７】
このような構成によれば、脈再判定部は、救命支援装置においてフェールセーフ機能を提供できる。これにより、本来は脈なしと判定されるべき患者が、何らかの理由で脈判定部により脈ありと判定されてしまった場合に、脈再判定部により脈なしと判定することが可能である。したがって、患者のプライバシーに配慮しつつ、救命行為の要否に係るより適切な情報を提供して救助者を支援できる。
【００１８】
上記の救命支援装置は、以下のように構成されうる。
前記発光部と前記受光部は、前記患者の額に装着可能に構成されている。
【００１９】
このような構成によれば、患者の脈の有無をまず判定するにあたって、患者の衣服を脱がす必要がない。また、額は体動の影響を受けにくい箇所であるため、脈の有無の判定精度を向上できる。したがって、患者のプライバシーに配慮しつつ、救命行為の要否に係るより適切な情報を提供して救助者を支援できる。
【００２０】
上記の救命支援装置は、以下のように構成されうる。
前記報知部は、前記脈判定部が脈なしと判定したとき、除細動器の使用を促す情報を提供するように構成されている。
【００２１】
このような構成によれば、躊躇する救助者に対して除細動器の使用を強く促す作用が期待できるとともに、除細動器を使用できる別の救助者に交代するなどして、除細動器の使用に至る確実性を向上できる。
【００２２】
上記の救命支援装置は、以下のように構成されうる。
前記報知部は、前記脈判定部が脈なしと判定したとき、胸骨圧迫の実施を促す情報を提供するように構成されている。
【００２３】
このような構成によれば、躊躇する救助者に対して具体的な行動を強く促す作用が期待できるとともに、措置ができる別の救助者に交代するなどして、救命に至る確実性を向上できる。
【００２４】
上記の救命支援装置は、以下のように構成されうる。
前記脈判定部は、脈ありと判定した後も前記脈の有無の判定を継続するように構成されている。
【００２５】
このような構成によれば、脈があると一旦判定された患者の容体が急変した場合に適切に対応できる。すなわち、判断処理が続行される結果、患者が脈なし状態に陥った場合は、上記の報知処理がなされる。報知部は、患者の脈がある事実を報知し続けてもよい。
【００２６】
上記の救命支援装置は、以下のように構成されうる。
前記脈判定部は、脈なしと判定した後も前記脈の有無の判定を継続するように構成されており、
前記報知部は、前記脈判定部が一旦脈なしと判定した後に脈ありと判定した場合、胸骨圧迫の実施の中止を促す情報を提供するように構成されている。
【００２７】
このような構成によれば、一旦脈なしと判定された患者の容体が改善した場合の対応を適切なものにできる。すなわち、自己心拍が再開した患者に対して不必要な胸骨圧迫の実施を回避でき、胸骨に不要な負荷が加わることを防止できる。
【図面の簡単な説明】
【００２８】
【図１】一実施形態に係る救命支援装置の機能構成を示す図である。
【図２】脈動数と変曲点数の定義を説明する図である。
【図３】図１の救命支援装置により行なわれる処理を示すフローチャートである。
【図４】図１の救命支援装置により行なわれる処理を示すフローチャートである。
【図５】図１の救命支援装置の使用態様の一例を示す図である。
【発明を実施するための形態】
【００２９】
本発明の実施形態を添付の図面を参照しつつ以下詳細に説明する。なお以下の説明に用いる各図面では、各部材を認識可能な大きさとするために縮尺を適宜変更している。
【００３０】
図１は、一実施形態に係る救命支援装置１の機能構成を示している。救命支援装置１は、患者１００の脈の有無を検出することにより、救命行為の要否を判断する装置である。
【００３１】
救命支援装置１は、発光部２１を備えている。発光部２１は、患者１００の身体に照射される光を出射するように構成されている。患者１００の身体とは、血流が存在する組織を意味している。発光部２１の例としては、所定の波長の光を出射可能な半導体発光素子が挙げられる。半導体発光素子の例としては、発光ダイオード（ＬＥＤ）、レーザダイオード、有機ＥＬ素子などが挙げられる。所定の波長の光の例としては、赤外光ＩＲと赤色光Ｒが挙げられる。
【００３２】
救命支援装置１は、発光制御部３１を備えている。発光制御部３１は、発光部２１における光源の点消灯を制御するように構成されている。
【００３３】
救命支援装置１は、受光部２２を備えている。受光部２２は、患者１００の身体を透過あるいは反射した光の強度に対応する信号を出力するように構成されている。受光部２２の例としては、発光部２１が出射する光の波長に感度を有する光センサが挙げられる。光センサの例としては、フォトダイオード、フォトトランジスタ、フォトレジスタが挙げられる。
【００３４】
救命支援装置１は、脈動率取得部３２を備えている。脈動率取得部３２は、受光部２２から出力された信号の振幅を解析し、患者１００の脈動率を取得するように構成されている。図２の（Ａ）を参照しつつ、脈動率について説明する。
【００３５】
患者１００に脈があれば、発光部２１により光を照射される組織中の血液量が変化する。したがって、受光部２２により検出される光の強度が変化し、受光部２２より出力される信号の振幅が変化する。すなわち、受光部２２から出力される信号は、脈波である。
【００３６】
脈動率取得部３２は、脈波から直流成分を抽出するフィルタを備えている。すなわち、脈動率取得部３２は、受光部２２より出力された脈波信号から、脈動する成分と脈動しない成分を得るように構成されている。発光部２１から出射される光が赤外光ＩＲや赤色光Ｒである場合、受光部２２により検出される光の強度変化のうち、脈動する成分は主に動脈血からの寄与分であり、脈動しない成分は、主に組織や静脈血からの寄与分である。脈動率取得部３２は、個人に依存する成分を除去するために正規化脈波ＰＷを取得するように構成されている。正規化脈波ＰＷは、脈動する成分を脈動しない成分で除算することにより得られる。
【００３７】
この正規化脈波ＰＷの振幅が、脈動率Ｘとして定義される。しかしながら、正規化脈波ＰＷはドリフトするため、ある特定の波の極小値Ｂの前後に存在する極大値Ｐ１から次の極大値Ｐ２の間に振幅が変化する場合がある。このとき、極小値Ｂにおける振幅は、（Ｐ１−Ｂ）と（Ｐ２−Ｂ）の間の値をとる。したがって、脈動率Ｘは、一例として次式により表されうる。
Ｘ  ＝  （Ａ１＋Ａ２）／２
ここで、Ａ１は、正規化脈波ＰＷの振幅が極大値Ｐ１をとる時点における極大値Ｐ１と極小値Ｂの振幅差（絶対値）を表している。Ａ２は、正規化脈波ＰＷの振幅が極大値Ｐ２をとる時点における極大値Ｐ２と極小値Ｂの振幅差（絶対値）を表している。すなわち、本例における脈動率Ｘは、Ａ１とＡ２の平均値として与えられる。しかしながら、脈動率Ｘは、Ａ１とＡ２の間の任意の値とされうる。
【００３８】
脈動率取得部３２は、極大値Ｐ２と極大値Ｐ３により定義される次の一信号周期についても、同様にして脈動率Ｘを取得する。脈動率取得部３２は、所定の期間内にそのようにして取得された複数の脈動率Ｘに基づいて、代表脈動率を取得するように構成されている。代表脈動率は、当該複数の脈動率Ｘの平均値として定義される。
【００３９】
なお、代表脈動率の取得にあたっては、所定の期間内に取得された複数の脈動率Ｘから所定の割合のサンプルを取り除き、残ったサンプルの平均値を求めることが好ましい。所定の割合の例としては、上位２５％が挙げられる。例えば、八個のサンプルが取得された場合、Ｘの値が大きい順に二個のサンプルが取り除かれ、残った六個のサンプルの平均値として代表脈動率が取得される。
【００４０】
救命支援装置１は、脈判定部３３を備えている。脈判定部３３は、脈動率取得部３２により取得された脈動率Ｘに基づいて、患者１００の脈の有無を判定するように構成されている。具体的には、脈判定部３３は、脈動率取得部３２により取得された代表脈動率が所定の閾値未満であるかに基づいて、患者１００の脈の有無を判定するように構成されている。閾値の例としては、１％が挙げられる。脈判定部３３は、代表脈動率が閾値未満である場合に患者１００の脈がないと判定し、代表脈動率が閾値以上である場合に患者１００の脈があると判定するように構成されている。
【００４１】
救命支援装置１は、報知部３４を備えている。報知部３４は、脈判定部３３による判定の結果を報知するように構成されている。報知は、光学的報知（ＬＥＤの発光、ディスプレイにメッセージを表示など）、音響的報知（ガイダンスメッセージ、メロディ、ビープ音など）、振動的報知の少なくとも１つにより行なわれる。
【００４２】
前述のように、患者の意識喪失には様々な原因があり、ＡＥＤを用いて電気ショックを与えることを必要としない場合がある。心源性の意識喪失は、電気ショックを与える必要がある場合であって、脈がない事実をもってこれを判断することができる。脳障害、多量出血、低血糖、貧血、低炭酸ガスなどを原因とする意識喪失は、電気ショックを与える必要のない（与えてはならない）場合であって、脈がある事実をもってこれを判断することができる。
【００４３】
しかしながら、専門家であっても脈の有無を正確かつ迅速に判断することは難しい。特に死戦期状態の患者は、心肺停止状態にありながら喘ぎ呼吸という独特の呼吸をするため、呼吸の事実をもって脈ありと判断してしまう場合があるからである。本実施形態に係る救命支援装置１の構成によれば、患者１００の脈動率Ｘという客観的なパラメータを用いるため、救命支援装置１を取り扱う者に依らず、患者１００の脈の有無を正確に判定できる。また、脈判定部３３による脈の有無の判定は、数周期から十周期分程度の脈波信号が取得できれば可能である。したがって、救命支援装置１を取り扱う者に依らず、患者１００の脈の有無を迅速に判定できる。
【００４４】
患者１００の脈の有無に係る正確な判定結果が救助者に報知されるため、例えばＡＥＤの使用が不要である場合は、患者１００の衣服を不必要に脱がすことが避けられる。これにより、患者１００のプライバシーを守ることができる。したがって、患者のプライバシーに配慮しつつ、救命行為の要否に係る適切な情報を提供して救助者を支援できる。
【００４５】
脈動率取得部３２は、発光部２１から出射される赤外光ＩＲに基づいて脈動率Ｘを取得するように構成されている。
【００４６】
このような構成によれば、救命医療において一般的に用いられているパルスオキシメータのプローブに用いられている光源を利用できる。別途の光源を用意する必要がないため、救命支援装置１を提供するコストを全体として抑制できる。また、赤外光は、患者１００の身体を透過あるいは反射する際に皮膚の色の影響を受けにくい。これにより、取得される脈動率Ｘの正確性が向上し、後段の脈判定部３３による脈の有無の判定精度も向上する。したがって、患者のプライバシーに配慮しつつ、救命行為の要否に係るより適切な情報を提供して救助者を支援できる。
【００４７】
脈判定部３３は、上記の脈動率Ｘに加え、受光部２２から出力された信号の所定時間内における変曲点数Ｎに基づいて、患者１００の脈の有無を判定するように構成されうる。所定時間の例としては、１秒が挙げられる。
【００４８】
図２の（Ｂ）、（Ｃ）、および（Ｄ）に示されるように、本明細書において「変曲点数」とは、正規化脈波ＰＷの微分値の正負が反転する回数として定義される。図２の（Ｂ）に示される例においては、正規化脈波ＰＷの微分値は、正から負に転じ、再度正に転じている。したがって、変曲点数Ｎは２である。他方、図２の（Ｃ）と（Ｄ）に示される例においては、正規化脈波ＰＷの微分値の正負は、途中ゼロになるものの、その前後で変化しない。したがって、変曲点数Ｎは０である。
【００４９】
図３の（Ａ）は、本例において脈判定部３３により行なわれる判定処理を示すフローチャートである。脈判定部３３は、まず脈動率取得部３２により取得された患者１００の脈動率Ｘ（代表脈動率）が所定の閾値未満であるかを判定する（ステップＳ１１）。
【００５０】
脈動率Ｘが所定の閾値未満であると判定されると（ステップＳ１１においてＹ）、脈判定部３３は、所定期間内における正規化脈波ＰＷの変曲点数Ｎを計数し、当該変曲点数Ｎが第一閾値未満であるかを判定する（ステップＳ１２）。第一閾値の例としては１０個が挙げられる。
【００５１】
当該変曲点数Ｎが第一閾値未満であると判定されると（ステップＳ１２においてＹ）、脈判定部３３は、患者１００の脈があると判断する（ステップＳ１３）。この状況は、脈動率Ｘに基づいて脈なしと判定された結果が、変曲点数Ｎに基づく判断により覆されたことを意味する。
【００５２】
当該変曲点数Ｎが第一閾値以上であると判定されると（ステップＳ１２においてＮ）、脈判定部３３は、患者１００の脈がないと判断する（ステップＳ１４）。この状況は、脈動率Ｘに基づいて脈なしと判定された結果が、変曲点数Ｎに基づく判断により確認されたことを意味する。
【００５３】
脈動率Ｘが所定の閾値以上であると判定されると（ステップＳ１１においてＮ）、脈判定部３３は、所定期間内における正規化脈波ＰＷの変曲点数Ｎを計数し、当該変曲点数Ｎが第二閾値未満であるかを判定する（ステップＳ１５）。第二閾値の例としては１５個が挙げられる。
【００５４】
当該変曲点数Ｎが第二閾値未満であると判定されると（ステップＳ１５においてＹ）、脈判定部３３は、患者１００の脈があると判断する（ステップＳ１６）。この状況は、脈動率Ｘに基づいて脈ありと判定された結果が、変曲点数Ｎに基づく判断により確認されたことを意味する。
【００５５】
当該変曲点数Ｎが第二閾値以上であると判定されると（ステップＳ１５においてＮ）、脈判定部３３は、患者１００の脈がないと判断する（ステップＳ１７）。この状況は、脈動率Ｘに基づいて脈ありと判定された結果が、変曲点数Ｎに基づく判断により覆されたことを意味する。
【００５６】
図３の（Ｂ）は、脈ありと判断される典型的な正規化脈波ＰＷを示している。図示の期間内における変曲点数Ｎは１０を下回っている。図３の（Ｃ）は、脈なしと判断される典型的な正規化脈波ＰＷを示している。図示の期間内における変曲点数Ｎは１００を上回っている。
【００５７】
ステップＳ１３やＳ１７の状況が示しているように、変曲点数Ｎを判定基準に加えることにより、脈の有無の判定精度が向上する。したがって、患者のプライバシーに配慮しつつ、救命行為の要否に係るより適切な情報を提供して救助者を支援できる。
【００５８】
脈判定部３３は、発光部２１から出射される赤外光ＩＲに基づいて変曲点数Ｎを取得するように構成されている。
【００５９】
このような構成によれば、救命医療において一般的に用いられているパルスオキシメータのプローブに用いられている光源を利用できるため、別途の光源を用意する必要がなく、救命支援装置１を提供するコストを全体として抑制できる。また、赤外光は、患者１００の身体を透過あるいは反射する際に皮膚の色の影響を受けにくい。これにより、取得される変曲点数Ｎの正確性が向上し、後段の脈判定部３３による脈の有無の判定精度も向上する。したがって、患者のプライバシーに配慮しつつ、救命行為の要否に係るより適切な情報を提供して救助者を支援できる。
【００６０】
図１に示されるように、救命支援装置１は、脈再判定部３５を備えうる。この場合、発光部２１は、赤外光ＩＲと赤色光Ｒを出射するように構成される。また、受光部２２は、患者１００の身体を透過あるいは反射した赤外光ＩＲと赤色光Ｒの各強度に応じた信号を出力するように構成される。脈再判定部３５は、脈判定部３３が患者１００に脈があると判定したとき、受光部２２より出力された信号に基づいて患者１００の動脈血酸素飽和度（ＳｐＯ２）と心拍数を取得し、これらの生体パラメータに基づいて患者１００の脈の有無を再判定するように構成されている。
【００６１】
生体組織を透過あるいは反射した赤外光と赤色光の強度から動脈血酸素飽和度と心拍数を取得する処理は、パルスオキシメータの原理に基づいている。当該処理それ自体は周知であるため、詳細な説明は省略する。
【００６２】
図４の（Ａ）は、本例における脈再判定部３５の動作を説明するフローチャートである。前述の通り、まず脈判定部３３による判定処理が行なわれる（ステップＳ１）。判定処理の結果、患者１００に脈があると判定されると、脈再判定部３５による再判定処理が実行される（ステップＳ２）。
【００６３】
図４の（Ｂ）は、再判定処理の具体的な流れを示すフローチャートである。脈再判定部３５は、取得された患者１００の動脈血酸素飽和度が所定の閾値未満であるかを、まず判定する（ステップＳ２１）。閾値の例としては、８５％が挙げられる。
【００６４】
患者１００の動脈血酸素飽和度が閾値以上であると判定されると（ステップＳ２１においてＮ）、脈再判定部３５は、取得された患者１００の心拍数が所定の閾値未満であるかを判定する（ステップＳ２２）。閾値の例としては、毎分４０回が挙げられる。
【００６５】
患者１００の心拍数が閾値以上であると判定されると（ステップＳ２２においてＮ）、脈再判定部３５は、患者１００の脈があると判定する（ステップＳ２３）。この状況は、脈判定部３３により脈ありと判定された結果が、脈再判定部３５による再判定により確認されたことを意味する。
【００６６】
患者１００の動脈血酸素飽和度が所定値未満であると判定された場合（ステップＳ２１においてＹ）、あるいは患者１００の心拍数が所定値未満であると判定された場合（ステップＳ２２においてＹ）、脈再判定部３５は、患者１００の脈がないと判定する（ステップＳ２４）。この状況は、脈判定部３３により脈ありと判定された結果が、脈再判定部３５による再判定により覆されたことを意味する。
【００６７】
すなわち、脈再判定部３５は、救命支援装置１においてフェールセーフ機能を提供している。これにより、本来は脈なしと判定されるべき患者１００が、何らかの理由で脈判定部３３により脈ありと判定されてしまった場合に、脈再判定部３５により脈なしと判定することが可能である。したがって、患者のプライバシーに配慮しつつ、救命行為の要否に係るより適切な情報を提供して救助者を支援できる。
【００６８】
図４の（Ｂ）に示される再判定処理において、動脈血酸素飽和度に係る判定（ステップＳ２１）と心拍数に係る判定（ステップＳ２２）の順序は逆でもよい。また、動脈血酸素飽和度に係る判定（ステップＳ２１）と心拍数に係る判定（ステップＳ２２）は、いずれか一方のみが行なわれる構成とされてもよい。
【００６９】
図５は、救命支援装置１の使用態様の一例を模式的に示している。救命支援装置１は、プローブ２とケース３を備えている。プローブ２は、発光部２１と受光部２２を備えている。ケース３は、発光制御部３１、脈動率取得部３２、脈判定部３３、報知部３４、および脈再判定部３５を収容している。
【００７０】
発光部２１と受光部２２を備えるプローブ２は、患者１００の額１０１に装着可能に構成されている。
【００７１】
このような構成によれば、患者１００の脈の有無をまず判定するにあたって、患者１００の衣服を脱がす必要がない。また、額１０１は体動の影響を受けにくい箇所であるため、脈の有無の判定精度を向上できる。したがって、患者のプライバシーに配慮しつつ、救命行為の要否に係るより適切な情報を提供して救助者を支援できる。
【００７２】
発光部２１が赤外光や赤色光を出射するように構成される場合、パルスオキシメータのプローブを利用できる。別途のプローブを用意する必要がないため、救命支援装置１を提供するコストを全体として抑制できる。
【００７３】
図４の（Ａ）に示されるように、判定処理（ステップＳ１）の結果として患者１００に脈がないと判定された場合、あるいは再判定処理（ステップＳ２）の結果として患者１００に脈がないと判定された場合、救命支援装置１は、報知処理を実行する（ステップＳ３）。具体的には、報知部３４が、ＡＥＤの使用を促す情報を提供する。例えば、「脈を検出できません。ＡＥＤを使用して下さい。」というガイド音声が出力される。救助者は、図５に示されるように、ＡＥＤ２００の電極２０１を患者１００の胸部１０２に装着し、ＡＥＤ２００のガイド音声に従って救命措置を実行する。
【００７４】
このような構成によれば、躊躇する救助者に対してＡＥＤ２００の使用を強く促す作用が期待できるとともに、ＡＥＤ２００を使用できる別の救助者に交代するなどして、ＡＥＤ２００の使用に至る確実性を向上できる。
【００７５】
これに加えてあるいは代えて、報知部３４は、胸骨圧迫の実施を促す情報を提供する。例えば、「脈を検出できません。胸骨圧迫を行なって下さい。」というガイド音声が出力される。救助者は、患者１００の胸部１０２に対して胸骨圧迫を実行する。
【００７６】
このような構成によれば、躊躇する救助者に対して具体的な行動を強く促す作用が期待できるとともに、措置ができる別の救助者に交代するなどして、救命に至る確実性を向上できる。
【００７７】
脈判定部３３は、患者１００の脈がないと判定した後も、脈の有無の判断処理を続行しうる。この場合、報知部３４は、患者１００が一旦脈なしと判定された後に脈ありと判定された場合に胸骨圧迫の実施の中止を促す情報を提供するように構成されうる。例えば、「脈が再開しました。胸骨圧迫を行なわないで下さい。」というガイド音声が出力される。
【００７８】
このような構成によれば、一旦脈なしと判定された患者１００の容体が改善した場合の対応を適切なものにできる。すなわち、自己心拍が再開した患者１００に対して不必要な胸骨圧迫の実施を回避でき、胸骨に不要な負荷が加わることを防止できる。
【００７９】
図４の（Ａ）に破線で示されるように、脈再判定部３５による再判定処理（ステップＳ２）の結果として患者１００の脈があると判定された場合、救命支援装置１は、患者１００の脈がある事実を報知する報知処理（ステップＳ３）を行なってもよい。その後、救命支援装置１は、脈判定部３３による判定処理（ステップＳ１）を再実行する。換言すると、脈判定部３３は、患者１００の脈があると判定した後も、脈の有無の判断処理を続行する。
【００８０】
このような構成によれば、脈があると一旦判定された患者１００の容体が急変した場合に適切に対応できる。すなわち、判断処理が続行される結果、患者１００が脈なし状態に陥った場合は、上記の報知処理がなされる。
【００８１】
本実施形態において、発光制御部３１、脈動率取得部３２、脈判定部３３、報知部３４、および脈再判定部３５の機能の少なくとも一部は、通信可能に接続されたプロセッサとメモリの協働により実行されるソフトウェアにより実現されている。プロセッサの例としては、ＣＰＵやＭＰＵが挙げられる。メモリの例としては、ＲＡＭやＲＯＭが挙げられる。しかしながら、発光制御部３１、脈動率取得部３２、脈判定部３３、報知部３４、および脈再判定部３５の機能の少なくとも一部は、回路素子などのハードウェアにより、あるいはハードウェアとソフトウェアの組合せにより実現されうる。
【００８２】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００８３】
上記の実施形態においては、脈動率Ｘと変曲点数Ｎの取得にあたって赤外光ＩＲのみが使用されている。しかしながら、赤外光ＩＲと赤色光Ｒの双方を用いて脈動率Ｘと変曲点数Ｎが取得されてもよいし、赤色光Ｒのみを用いて脈動率Ｘと変曲点数Ｎが取得されてもよい。各光を出射する光源の点消灯は、発光制御部３１により適宜に制御される。
【００８４】
プローブ２が装着される箇所は、必ずしも患者１００の額１０１であることを要しない。透過型のパルスオキシメータが、手の指先、足の指先、耳朶などに装着される構成とされてもよい。この場合においても、患者１００の衣服を脱がすことなく脈の有無の判定を実行できる。
【００８５】
プローブ２は、必ずしもパルスオキシメータのプローブであることを要しない。血流に係る情報を取得しうる限りにおいて、プローブ２は、超音波、電磁波、レーザ光のいずれかを用いる計測器（超音波血流計、電磁血流計、レーザ血流計、ドップラ血流計など）の少なくとも一部として構成されてもよい。この場合、プローブ２は、患者１００の頸部、腕部、または脚部に装着される。いずれの場合においても、患者１００の肌の露出を最小限に抑えつつ脈の有無の判定を実行できる。
【００８６】
上記の実施形態においては、報知部３４によりＡＥＤ２００の使用が促される例を説明した。報知部３４は、ＡＥＤに限らず除細動器一般の使用を促すように構成されうる。
【符号の説明】
【００８７】
１：救命支援装置、２：プローブ、２１：発光部、２２：受光部、３２：脈動率取得部、３３：脈判定部、３４：報知部、３５：脈再判定部、１００：患者、１０１：額、２００：自動体外式除細動器（ＡＥＤ）、Ｎ：変曲点数、Ｘ：脈動率
【図１】
0006765622.tif 000002
【図２】
0006765622.tif 000003
【図３】
0006765622.tif 000004
【図４】
0006765622.tif 000005
【図５】
0006765622.tif 000006